(57)【特許請求の範囲】
【請求項１】
被取付面に直接的に、あるいは所定部材を介して間接的に取り付けられ、下方が開口した箱状であり、長手方向に直交する幅方向に沿う断面形状がコ字状であり、前記コ字状の形状は、天板と、前記天板の一方の端部に連接して下方に延びる第１の側板と、前記天板の他方の端部に連接して下方に延び、長さが前記第１の側板よりも短く設定されることで、下端部が、前記第１の側板の下端部よりも上方に位置する第２の側板と、で構成され、かつ、内部の空間内において、前記第１の側板および前記第２の側板との間に、前記天板に対して傾斜して設けられ、かつ前記傾斜が、前記第１の側板から前記第２の側板に向かって斜め上方に傾斜するものである取付板を備える器具本体と、
前記取付板の下面に取り付けられる基板と、前記基板の下面の、前記基板の長手方向に直交する幅方向の中央の位置において、前記基板の長手方向に沿って配置される複数のＬＥＤチップと、を備えるＬＥＤユニットと、
前記器具本体の前記内部の空間の、前記取付板よりも下に位置する空間において、前記ＬＥＤユニットの周囲を取り囲むように配置されて収容されると共に、下方に開口する反射板と、
を有し、
前記複数のＬＥＤチップの各々の光軸は、前記取付板の傾斜に対応して、鉛直線に対して所定角度傾いており、
前記反射板は、
前記基板の一方の端部付近から、前記器具本体の前記第１の側板の下端部へと、斜め下方に傾斜している部分である、内面が光を反射する反射面である第１の反射板部分と、
前記基板の他方の端部付近から、前記器具本体の前記第２の側板の下端部へと、斜め下方に傾斜している部分である、内面が光を反射する反射面である第２の反射板部分と、
を有し、
前記第１の反射板部分の長さは、前記第２の反射板部分の長さよりも長い照明器具。
【請求項２】
請求項１に記載の照明器具において、
前記ＬＥＤユニットからの光のうちの、前記第１の反射板部分の下端に接して斜め下方に出射される光の光線と、水平線とがなす角度のうち、値が最も小さいものを第１の遮光角とし、前記ＬＥＤユニットからの光のうちの、前記第２の反射板部分の下端に接して斜め下方に出射される光の光線と、水平線とがなす角度のうち、値が最も小さいものを第２の遮光角とした場合に、
前記第１の遮光角θ１が、
θ１≧ｔａｎ−１（（ｈ０−ｈ１）／ｄ１）、
ｈ０：照明器具の設置高さ、
ｈ１：前記第１の反射板部分側の下方空間に位置する人の視点の高さ、
ｄ１：照明器具と前記視点との間の水平距離、
である照明器具。
【請求項３】
請求項１または請求項２に記載の照明器具において、
前記ＬＥＤユニットからの光のうちの、前記第１の反射板部分の下端に接して斜め下方に出射される光の光線と、水平線とがなす角度のうち、値が最も小さいものを第１の遮光角とし、前記ＬＥＤユニットからの光のうちの、前記第２の反射板部分の下端に接して斜め下方に出射される光の光線と、水平線とがなす角度のうち、値が最も小さいものを第２の遮光角とした場合に、前記第２の遮光角は、前記第１の遮光角よりも小さい照明器具。
【請求項４】
請求項３記載の照明器具において、
前記第２の遮光角θ２が、
θ２≦ｔａｎ−１（（ｈ０−ｈ２）／ｄ２）、
ｈ０：照明器具の設置高さ、
ｈ２：前記第２の反射板部分側の壁面上に配置される、広告等である照明対象物の上端の高さ、
ｄ２：照明器具と前記照明対象物との間の水平距離、
である照明器具。
【発明の詳細な説明】
【技術分野】
【０００１】
本発明は、駅のホーム等の上方に設けて、ホームおよび壁面に光を照射する照明器具に関するものである。
【背景技術】
【０００２】
従来より、天井面等に取り付けて主に下方を照明するために、細長い照明器具が用いられている（例えば、特許文献１参照）。
図７に示すように、特許文献１に記載の照明器具１００では、軸方向に細長く下方に開口した矩形箱状の筐体１０１を有し、筐体１０１の内部に、軸方向に長いＬＥＤ蛍光管１０２と、このＬＥＤ蛍光管１０２の光を下方へ反射する反射板１０３を有する。
ＬＥＤ蛍光管１０２は、軸方向に細長い板状のプリント基板１０４にＬＥＤ１０５を実装して形成されたＬＥＤ発光体１０６を、放熱板１０８を介して一部開口した略円管状の半透明のカバー体１０７内部に取り付けて形成される。
【０００３】
これにより、ＬＥＤ蛍光管１０２から照射される光を、広く拡散させて、照度を落とすことなく効率的に下方へ照射する。
【先行技術文献】
【特許文献】
【０００４】
【特許文献１】実用新案登録第３１６３６２１号公報（第１図）
【発明の概要】
【発明が解決しようとする課題】
【０００５】
ところで、照明器具を設置する場所に対応して、光の照射範囲を限定したい場合がある。
図８に示すように、光源にＬＥＤユニット１１１を用いて所望の範囲を照明する照明器具１１０においては、ＬＥＤユニット１１１の照射方向前方の左右両側に反射板１１２，１１３を設けて照射範囲を規制している。ＬＥＤユニット１１１の光軸ＣＢは、照射方向である鉛直下方に向けられており、反射板１１２，１１３は光軸ＣＢに対して対称に設けられている。
これにより、横方向に発せられる光を反射板１１２，１１３により反射して、所望の方向（下方）へ効率よく光を照射している。
【０００６】
しかしながら、前述した照明器具１１０のように、光源にＬＥＤユニット１１１を用いる場合には、蛍光灯を用いる場合に比して、もともと横方向への広がりが少ない上に、反射板１１２，１１３によって横方向の光がさらに遮光されてしまうので、例えば駅のホーム等の照明においては、ホーム後方の壁面における垂直面照度が不足して、時刻表や広告等が見えにくくなるという問題があった。
【０００７】
本発明は、従来の問題を解決するためになされたもので、壁面に取り付けられた広告等が見やすく、かつ壁面と反対側にいる人へのグレアを抑えた照明器具を提供することを目的とする。
【課題を解決するための手段】
【０００８】
本発明の照明器具は、被取付面に直接的に、あるいは所定部材を介して間接的に取り付けられ、下方が開口した箱状であり、長手方向に直交する幅方向に沿う断面形状がコ字状であり、前記コ字状の形状は、天板と、前記天板の一方の端部に連接して下方に延びる第１の側板と、前記天板の他方の端部に連接して下方に延び、長さが前記第１の側板よりも短く設定されることで、下端部が、前記第１の側板の下端部よりも上方に位置する第２の側板と、で構成され、かつ、内部の空間内において、前記第１の側板および前記第２の側板との間に、前記天板に対して傾斜して設けられ、かつ前記傾斜が、前記第１の側板から前記第２の側板に向かって斜め上方に傾斜するものである取付板を備える器具本体と、
前記取付板の下面に取り付けられる基板と、前記基板の下面の、前記基板の長手方向に直交する幅方向の中央の位置において、前記基板の長手方向に沿って配置される複数のＬＥＤチップと、を備えるＬＥＤユニットと、前記器具本体の前記内部の空間の、前記取付板よりも下に位置する空間において、前記ＬＥＤユニットの周囲を取り囲むように配置されて収容されると共に、下方に開口する反射板と、を有し、前記複数のＬＥＤチップの各々の光軸は、前記取付板の傾斜に対応して、鉛直線に対して所定角度傾いており、前記反射板は、前記基板の一方の端部付近から、前記器具本体の前記第１の側板の下端部へと、斜め下方に傾斜している部分である、内面が光を反射する反射面である第１の反射板部分と、前記基板の他方の端部付近から、前記器具本体の前記第２の側板の下端部へと、斜め下方に傾斜している部分である、内面が光を反射する反射面である第２の反射板部分と、を有し、前記第１の反射板部分の長さは、前記第２の反射板部分の長さよりも長いものである。
【０００９】
また、本発明の照明器具は、前記ＬＥＤユニットからの光のうちの、前記第１の反射板部分の下端に接して斜め下方に出射される光の光線と、水平線とがなす角度のうち、値が最も小さいものを第１の遮光角とし、前記ＬＥＤユニットからの光のうちの、前記第２の反射板部分の下端に接して斜め下方に出射される光の光線と、水平線とがなす角度のうち、値が最も小さいものを第２の遮光角とした場合に、前記第１の遮光角θ１が、
θ１≧ｔａｎ−１（（ｈ０−ｈ１）／ｄ１）、
ｈ０：照明器具の設置高さ、
ｈ１：前記第１の反射板部分側の下方空間に位置する人の視点の高さ、
ｄ１：照明器具と前記視点との間の水平距離、
であるものである。
【００１０】
また、本発明の照明器具は、前記ＬＥＤユニットからの光のうちの、前記第１の反射板部分の下端に接して斜め下方に出射される光の光線と、水平線とがなす角度のうち、値が最も小さいものを第１の遮光角とし、前記ＬＥＤユニットからの光のうちの、前記第２の反射板部分の下端に接して斜め下方に出射される光の光線と、水平線とがなす角度のうち、値が最も小さいものを第２の遮光角とした場合に、前記第２の遮光角は、前記第１の遮光角よりも小さいものである。
【００１１】
さらに、本発明の照明器具は、前記第２の遮光角θ２が、
θ２≦ｔａｎ−１（（ｈ０−ｈ２）／ｄ２）、
ｈ０：照明器具の設置高さ、
ｈ２：前記第２の反射板部分側の壁面上に配置される、広告等である照明対象物の上端の高さ、
ｄ２：照明器具と前記照明対象物との間の水平距離、
であるものである。
【発明の効果】
【００１２】
本発明は、ＬＥＤの光軸を傾けているので、光軸を傾けた側の壁面の鉛直面照度が高くなり、壁面に掲げられた広告等が見えやすくなる。また、光軸と反対側に反射板を設けたので、反射板によって遮光され、光軸と反対側にいる人へのグレアを抑えることができるという効果を有する照明器具を提供できる。
【図面の簡単な説明】
【００１３】
【図１】（Ａ）は本発明に係る実施形態の照明器具の平面図であり、（Ｂ）は側面図であり、（Ｃ）は下方から見た底面図
【図２】図１中ＩＩ−ＩＩ位置の断面図
【図３】本発明適用のモデルである駅の断面構成図、断面寸法および必要照度を示す説明図
【図４】光軸の角度を５°刻みで３０°まで変化させた場合における駅の各部の計算照度を示す表
【図５】反光軸側反射板の遮光角を示す説明図
【図６】光軸側反射板の遮光角を示す説明図
【図７】従来のスポットライトの断面図
【図８】従来の照明器具の光源にＬＥＤを用いた場合の断面図
【発明を実施するための形態】
【００１４】
以下、本発明に係る実施形態の照明器具について、図面を用いて説明する。
図１および図２に示すように、本発明に係る実施形態の照明器具１０は、駅（図３参照）のホーム１３等の天井面１１にとりつけられて、ホーム１３や、線路１４やホーム１３後方（線路１４と反対側）の壁面１２を照明するのに用いることができる。
【００１５】
照明器具１０は、例えばホーム１３に沿って長い器具本体２０を有しており、直接天井面１１に取り付けられたり、給配電のための電路であるレースウェイ２１を介して天井面１１に取り付けられる。
器具本体２０は、下方が開口（開口部２１）した矩形箱状を呈しており、天板２２がボルト・ナット２３により天井面１１等に取り付けられる。天板２２の下面には電源装置３４が取り付けられており、器具本体２０の内部に収容される。
【００１６】
器具本体２０は、壁面１２側の側板２４と、側板２４に対向する線路側の側板２５を有する。両側板２４，２５間には取付板２６が傾斜して取り付けられており、取付板２６にはＬＥＤユニット（ＬＥＤ）３０が取り付けられている。
取付板２６の傾斜に対応して、壁面側の側板２４よりも、線路側の側板２５の方が長く下方まで設けられている。
【００１７】
ＬＥＤユニット３０は、器具本体２０の長手方向に沿って複数個（ここでは、例えば８個）設けられている。各ＬＥＤユニット３０は、矩形板状の基板３１の上に複数個（ここでは、例えば６個）のＬＥＤチップ３２が取り付けられている。また、ＬＥＤチップ３２の前方には拡散材入りのパネル３３が設けられている。
【００１８】
ＬＥＤユニット３０は取付板２６の下面に取り付けられている。このため、ＬＥＤユニット３０の光軸Ｌ１は、取付板２６に直交する方向であり、壁面側の側板２４側に傾いている。以後、鉛直方向に対して光軸Ｌ１がある側を光軸側または壁面側といい、光軸Ｌ１が無い側を反光軸側または線路側という。
【００１９】
器具本体２０内部における取付板２６の下側には、光を遮断するとともに、光を光軸Ｌ１方向へ反射する反射板３５が取り付けられている。反射板３５は、鉛直方向に対して光軸Ｌ１がある側に設けられて光を線路側に反射する光軸側反射板３５１と、鉛直方向に対して光軸Ｌ１が無い側に設けられて光を壁面側に反射する反光軸側反射板３５２とを有する。
【００２０】
図３は、本発明適用のモデルである駅の断面構成図である。
図３に示すように、駅における各部の必要照度は、ホーム１３では、Ｅｈ≧２００（ｌｘ）、線路１４では、Ｅｒ≧２０（ｌｘ）、ホーム１３後方の壁面１２では、Ｅｖ≧１００（ｌｘ）に設定されている。また、各部における寸法は、図３に示す通りである。
【００２１】
図４には、光軸Ｌ１の角度θ（図２参照）を５°刻みで３０°まで変化させた場合の、各部の計算照度を示してある。
図４に示すように、光軸Ｌ１の角度θを大きくするほど、壁面１２の鉛直面照度が大きくなるが、ホーム１３および線路１４の水平面照度が小さくなる傾向が見られる。また、上述した各部位の必要照度を満足する角度θは、壁面１２の鉛直照度が１００（ｌｘ）を超える１５°となる。このとき、ホーム１３および線路１４における必要照度をも満足する。
【００２２】
図５に示すように、上述したモデルの駅における反光軸側反射板３５２による遮光角θ１は、線路１４を走る電車の運転士の視点と照明器具１０との位置関係から、
θ１≧ｔａｎ−１（（ｈ０−ｈ１）／ｄ１）、
ｈ０：照明器具の設置高さ、
ｈ１：視点の高さ、
ｄ１：照明器具と視点の水平距離、
各変数に図５に示す数値を代入すると、
θ１≧ｔａｎ（（２．９−１．４）／１．８）
≧４０°
より、反光軸側反射板３５２の遮光角θ１が４０°以上になるように、線路側の側板２５の高さを設定する。
【００２３】
図６に示すように、光軸側反射板３５１による遮光角θ２は、反光軸側反射板３５２の遮光角θ１（図５参照）よりも小さいものであり、
θ２≦ｔａｎ−１（（ｈ０−ｈ２）／ｄ２）、
ｈ０：照明器具の設置高さ、
ｈ２：広告等の上端の高さ、
ｄ２：照明器具と広告等の水平距離、
各変数に図６に示す数値を代入すると、
θ２≦ｔａｎ（（２．９−２．４）／３）
≦１０°
より、光軸側反射板３５２の遮光角θ２が１０°以下になるように、壁面側の側板２４の高さを設定する。
【００２４】
以上、説明した本発明に係る照明器具１０は、ＬＥＤユニット３０の光軸Ｌ１を傾けているので、鉛直方向よりも光軸Ｌ１を傾けた側の壁面１２の鉛直面照度が高くなり、壁面１２に掲げられた広告１２１等が見やすくなる。すなわち、光軸Ｌ１を１５°傾けることにより、壁面１２の鉛直面照度として１００（ｌｘ）が確保できるので、広告１２１や時刻表等が見やすくなる。
また、反射板３５によって遮光されるので、鉛直方向よりも光軸Ｌ１と反対側にいる人へのグレアを抑えることができる。
【００２５】
また、反光軸側反射板３５２の遮光角θ１を、照明器具１０と視点の位置関係から、ＬＥＤユニット３０が直接見えなくなる必要最小限の遮光角よりも大きくするので、より確実にグレアを抑えることができる。すなわち、線路１４側の反光軸側反射板３５２の遮光角θ１を４０°以上に設定したことにより、電車の運転士に対するグレアを確実に抑えることができる。
【００２６】
また、鉛直方向よりも光軸Ｌ１を傾けた側の光軸側反射板３５１を設けたので、天井面１１に漏れる光を光軸側反射板３５１で下方向に反射することにより、効率よくホーム１３を照明することができる。また、青色ＬＥＤと黄色蛍光体を組み合わせた白色ＬＥＤを用いた場合に、特有の横方向へ出る黄色の光のスジが、天井面等に現れることを防ぐことができる。
【００２７】
さらに、光軸側反射板３５１の遮光角θ２を、照明器具１０と広告１２１等の位置関係から、ＬＥＤユニット３０からの光が遮られないための遮光角の最大値よりも小さくするので、広告１２１等の見えやすさを損なわずに、効率よくホーム１３を照明することができる。すなわち、壁面１２側の光軸側反射板３５１の遮光角θ２を、１０°以下に設定したことにより、広告１２１や時刻表等の見やすさを損なわずに、効率よくホーム１３を照明することができる。
【００２８】
なお、本発明の照明器具は、前述した実施形態に限定されるものでなく、適宜な変形，改良等が可能である。
例えば、前述した実施形態においては、駅のホーム１３に取り付ける照明器具を例示したが、この他、マンションの開放廊下等、一方に視対象となる壁面があり、他方が解放されているような空間に広く適用可能である。
【符号の説明】
【００２９】
１０  照明器具
３２  ＬＥＤチップ（ＬＥＤ）
３５１  光軸側反射板
３５２  反光軸側反射板
Ｌ１  光軸
θ１  反光軸側反射板の遮光角
θ２  光軸側反射板の遮光角
【図１】
0005736540.tif 000002
【図２】
0005736540.tif 000003
【図３】
0005736540.tif 000004
【図４】
0005736540.tif 000005
【図５】
0005736540.tif 000006
【図６】
0005736540.tif 000007
【図７】
0005736540.tif 000008
【図８】
0005736540.tif 000009